(57)【要約】      （修正有）【課題】物理空間内のイベントを検出し、家庭用電子機器などのサブスクライバデバイスに通知する方法を提供する。【解決手段】コンピューティングシステムは、物理空間の仮想表現内の仮想領域が物理領域に対応するように仮想領域の指示をサブスクライバデバイスから受信する。当該システムはさらに仮想領域と関連付けられているトリガ条件をサブスクライバデバイスから受信し、トリガ条件は物理領域内の特定の物理的変化に対応する。当該システムはさらに物理空間内のセンサからセンサデータを受信し、センサデータの一部は物理領域と関連付けられる。センサデータに基づいて、当該システムは、トリガ条件を満たす物理領域内のイベントを検出し、これに応答して、トリガ条件が満たされたことを示す通知をサブスクライバデバイスに提供する。【選択図】図２
2020098638.tif 000002
【特許請求の範囲】
【請求項１】
方法であって、
物理空間の仮想表現内の少なくとも１つの仮想領域の指示を、少なくとも１つのサブスクライバデバイスからコンピューティングシステムによって受信することを備え、前記少なくとも１つの仮想領域は前記物理空間内の少なくとも１つの物理領域に対応し、前記方法はさらに、
前記少なくとも１つの仮想領域と関連付けられている少なくとも１つのトリガ条件を、前記少なくとも１つのサブスクライバデバイスから前記コンピューティングシステムによって受信することを備え、前記少なくとも１つのトリガ条件は前記少なくとも１つの物理領域内の少なくとも１つの特定の物理的変化に対応し、前記方法はさらに、
前記物理空間内に位置決めされた複数のセンサからセンサデータを前記コンピューティングシステムによって受信することを備え、前記センサデータの少なくとも一部は前記物理空間内の前記少なくとも１つの物理領域と関連付けられており、前記方法はさらに、
前記センサデータに基づいて、前記コンピューティングシステムが、前記少なくとも１つの物理領域内の前記少なくとも１つの特定の物理的変化に対応する前記少なくとも１つのトリガ条件を満たす前記少なくとも１つの物理領域内のイベントを検出することと、
前記イベントを検出したことに応答して、前記少なくとも１つのトリガ条件が満たされたことを示す通知を、前記コンピューティングシステムによって前記少なくとも１つのサブスクライバデバイスに提供することとを備える、方法。
【請求項２】
前記物理空間内の前記少なくとも１つの物理領域に対応する前記少なくとも１つの仮想領域は、前記物理空間の三次元（３Ｄ）サブボリュームに対応する前記少なくとも１つの仮想領域を含む、請求項１に記載の方法。
【請求項３】
前記少なくとも１つの仮想領域の前記指示を受信することは、前記少なくとも１つの仮想領域の特性を受信することを含み、前記特性は、（ｉ）前記少なくとも１つの仮想領域のサイズ、（ｉｉ）前記少なくとも１つの仮想領域の形状、（ｉｉｉ）前記物理空間の前記仮想表現内の前記少なくとも１つの仮想領域の相対的位置、（ｉｖ）前記物理空間の前記仮想表現内の前記少なくとも１つの仮想領域の相対的方位、および（ｖ）前記少なくとも１つの仮想領域が少なくとも１つの静的な仮想領域であるか少なくとも１つの動的な仮想領域であるかの選択、の１つ以上を含む、請求項１に記載の方法。
【請求項４】
前記少なくとも１つの物理領域は、前記物理空間の少なくとも第１の点から前記物理空間の少なくとも第２の点への少なくとも１つのアクターの移動と関連付けられている少なくとも１つの動的な物理領域を含み、前記少なくとも１つの仮想領域は、前記少なくとも１つの動的な物理領域に対応する少なくとも１つの動的な仮想領域を含む、請求項１に記載の方法。
【請求項５】
前記少なくとも１つの動的な物理領域は、（ｉ）前記少なくとも１つのアクターが前記第１の点にいる間は第１の形状を、かつ（ｉｉ）前記少なくとも１つのアクターが前記第２の点にいる間は第２の形状を有し、前記少なくとも１つの動的な仮想領域は、前記少なくとも１つのアクターが前記第１および第２の点にいる間は前記第１および第２の形状をそれぞれ取る、請求項４に記載の方法。
【請求項６】
前記第１および第２の形状は、前記少なくとも１つのアクターが前記第１および第２の点にいる間は前記少なくとも１つのアクターの特定の形状にそれぞれ対応する、請求項５に記載の方法。
【請求項７】
前記少なくとも１つの仮想領域の前記指示および前記少なくとも１つのトリガ条件を受
信したことに応答して、前記少なくとも１つのトリガ条件を満たす前記少なくとも１つの物理領域内の前記イベントを検出するための少なくとも１つのセンサ解釈規則を決定することをさらに備え、前記イベントを検出することは、前記少なくとも１つのセンサ解釈規則に少なくとも部分的に基づいて前記イベントを検出することを含む、請求項１に記載の方法。
【請求項８】
前記少なくとも１つのセンサ解釈規則を決定することは、前記物理空間内に位置決めされた前記複数のセンサの１つ以上の特性に少なくとも部分的に基づいて前記少なくとも１つのセンサ解釈規則を決定することを含む、請求項７に記載の方法。
【請求項９】
前記特性は、（ｉ）センサタイプ、（ｉｉ）センサモデル、（ｉｉｉ）センサ位置、（ｉｖ）センサ方位、（ｖ）前記少なくとも１つの物理領域とのセンサ関連付け、および（ｖｉ）前記少なくとも１つのサブスクライバデバイスとのセンサ関連付け、の１つ以上を含む、請求項８に記載の方法。
【請求項１０】
前記少なくとも１つのセンサ解釈規則を決定することは、前記イベントを検出する際に用いるべき１つ以上の特定のセンサを前記複数のセンサの中から選択することを含む、請求項７に記載の方法。
【請求項１１】
１つ以上の特定のセンサを選択することは、少なくとも（ｉ）第１のセンサデータを生成するように構成された第１のセンサおよび（ｉｉ）第２のセンサデータを生成するように構成された第２のセンサを選択することを含み、前記少なくとも１つのセンサ解釈規則を決定することは、前記イベントを検出するために少なくとも前記第１および第２のセンサデータを用いる決定を下すことをさらに含み、前記少なくとも１つのセンサ解釈規則に少なくとも部分的に基づいて前記イベントを検出することは、少なくとも前記第１および第２のセンサデータの評価に基づいて前記少なくとも１つの物理領域内の前記少なくとも１つの特定の物理的変化を検出することを含む、請求項１０に記載の方法。
【請求項１２】
少なくとも１つのセンサ解釈規則を決定することは、前記物理空間内の前記少なくとも１つの物理領域と関連付けられている前記センサデータの前記一部を求めることを含み、前記少なくとも１つのセンサ解釈規則に少なくとも部分的に基づいて前記イベントを検出することは、前記センサデータの前記一部の評価に基づいて前記少なくとも１つの物理領域内の前記少なくとも１つの特定の物理的変化を検出することを含む、請求項７に記載の方法。
【請求項１３】
前記少なくとも１つの特定の物理的変化は、
（ｉ）  少なくとも１つのアクターが前記少なくとも１つの物理領域に入ること、
（ｉｉ）  前記少なくとも１つのアクターが前記少なくとも１つの物理領域から出ること、
（ｉｉｉ）  前記少なくとも１つの物理領域内の前記少なくとも１つのアクターの存在、
（ｉｖ）  前記少なくとも１つの物理領域の占有、ここで、前記占有は、前記少なくとも１つの物理領域内の少なくとも閾値数のアクターの存在に対応する、
（ｖ）  前記少なくとも１つの物理領域内の特定の音、および
（ｖｉ）  前記少なくとも１つの物理領域内の特定の語句
の１つ以上を含む、請求項１に記載の方法。
【請求項１４】
コンピューティングシステムであって、
１つ以上のプロセッサと、
非一時的なコンピュータ読取可能な媒体と、
前記非一時的なコンピュータ読取可能な媒体上に格納されており、前記１つ以上のプロセッサによって実行可能なプログラム命令とを備え、前記プログラム命令は、
物理空間の仮想表現内の少なくとも１つの仮想領域の指示を少なくとも１つのサブスクライバデバイスから受信するよう指示し、前記少なくとも１つの仮想領域は前記物理空間内の少なくとも１つの物理領域に対応し、前記プログラム命令はさらに、
前記少なくとも１つの仮想領域と関連付けられている少なくとも１つのトリガ条件を前記少なくとも１つのサブスクライバデバイスから受信するよう指示し、前記少なくとも１つのトリガ条件は前記少なくとも１つの物理領域内の少なくとも１つの特定の物理的変化に対応し、前記プログラム命令はさらに、
前記物理空間内に位置決めされた複数のセンサからセンサデータを受信するよう指示し、前記センサデータの少なくとも一部は前記物理空間内の前記少なくとも１つの物理領域と関連付けられており、前記プログラム命令はさらに、
前記センサデータに基づいて、前記少なくとも１つの物理領域内の前記少なくとも１つの特定の物理的変化に対応する前記少なくとも１つのトリガ条件を満たす前記少なくとも１つの物理領域内のイベントを検出するよう、かつ
前記イベントを検出したことに応答して、前記少なくとも１つのトリガ条件が満たされたことを示す通知を前記少なくとも１つのサブスクライバデバイスに提供するよう指示する、コンピューティングシステム。
【請求項１５】
１つ以上のプロセッサによって実行可能な命令を格納している非一時的なコンピュータ読取可能な媒体であって、前記命令はコンピューティングシステムに機能を実行させ、前記機能は、
物理空間の仮想表現内の少なくとも１つの仮想領域の指示を、少なくとも１つのサブスクライバデバイスから受信することを備え、前記少なくとも１つの仮想領域は前記物理空間内の少なくとも１つの物理領域に対応し、前記機能はさらに、
前記少なくとも１つの仮想領域と関連付けられている少なくとも１つのトリガ条件を、前記少なくとも１つのサブスクライバデバイスから受信することを備え、前記少なくとも１つのトリガ条件は前記少なくとも１つの物理領域内の少なくとも１つの特定の物理的変化に対応し、前記機能はさらに、
前記物理空間内に位置決めされた複数のセンサからセンサデータを受信することを備え、前記センサデータの少なくとも一部は前記物理空間内の前記少なくとも１つの物理領域と関連付けられており、前記機能はさらに、
前記センサデータに基づいて、前記少なくとも１つの物理領域内の前記少なくとも１つの特定の物理的変化に対応する前記少なくとも１つのトリガ条件を満たす前記少なくとも１つの物理領域内のイベントを検出することと、
前記イベントを検出したことに応答して、前記少なくとも１つのトリガ条件が満たされたことを示す通知を前記少なくとも１つのサブスクライバデバイスに提供することとを備える、非一時的なコンピュータ読取可能な媒体。
【発明の詳細な説明】
【背景技術】
【０００１】
関連出願との相互参照
本願は、２０１６年７月１９日に出願され「Trigger Regions（トリガ領域）」と題さ
れた米国特許出願番号第１５／２１３，８４３号に基づく優先権を主張し、上記出願の内容全体を本明細書に引用により援用する。そして、米国特許出願番号第１５／２１３，８４３号は、２０１５年１１月２５日に出願され「Trigger Regions（トリガ領域）」と題
された米国仮特許出願連続番号第６２／２５９，９７１号に基づく優先権を主張し、上記出願の内容全体を本明細書に引用により援用する。
【０００２】
背景
物理空間は、特に、小売、製造、組立、物流、およびオフィス空間のために用いられ得る。徐々に、これらの物理空間が設計および操作される態様は、より知的に、より効率的に、かつより直観的になりつつある。現在の生活の多数の局面においてテクノロジーがますます普及するにつれて、これらの物理空間を向上させるテクノロジーの使用が明らかになる。したがって、そのようなシステムに対する需要が、センシング技術、データ処理、ならびにソフトウェアおよびユーザインターフェース設計の革新の分野の開拓を促進している。
【発明の概要】
【課題を解決するための手段】
【０００３】
要約
例示的な実現は、サブスクライバデバイスから要求を受信可能なコンピューティングシステムに関し得る。この要求は、物理空間内の物理領域に対応する仮想領域を定義し得、物理領域内の特定の物理的変化に対応するトリガ条件も定義し得る。コンピューティングシステムは物理空間内のセンサからセンサデータを受信し得、物理領域内の特定の物理的変化に対応するイベントを検出する根拠として当該センサデータを用い得る。コンピューティングシステムは、このイベントの検出をトリガ条件が満たされているものと解釈し得、次いでトリガ条件が満たされたとサブスクライバデバイスに通知し得る。
【０００４】
一局面において、方法が提供される。当該方法は、物理空間の仮想表現内の少なくとも１つの仮想領域の指示を、少なくとも１つのサブスクライバデバイスからコンピューティングシステムによって受信することを含み、少なくとも１つの仮想領域は物理空間内の少なくとも１つの物理領域に対応する。当該方法は、少なくとも１つの仮想領域と関連付けられている少なくとも１つのトリガ条件を、少なくとも１つのサブスクライバデバイスからコンピューティングシステムによって受信することも含み、少なくとも１つのトリガ条件は少なくとも１つの物理領域内の少なくとも１つの特定の物理的変化に対応する。当該方法はさらに、物理空間内に位置決めされた複数のセンサからセンサデータをコンピューティングシステムによって受信することを含み、センサデータの少なくとも一部は物理空間内の少なくとも１つの物理領域と関連付けられている。当該方法はさらに、センサデータに基づいて、コンピューティングシステムが、少なくとも１つの物理領域内の少なくとも１つの特定の物理的変化に対応する少なくとも１つのトリガ条件を満たす少なくとも１つの物理領域内のイベントを検出することを含む。当該方法はさらに、イベントを検出したことに応答して、少なくとも１つのトリガ条件が満たされたことを示す通知を、コンピューティングシステムによって少なくとも１つのサブスクライバデバイスに提供することを含む。
【０００５】
別の局面において、コンピューティングシステムが提供される。当該コンピューティン
グシステムは１つ以上のプロセッサを含む。当該コンピューティングシステムは非一時的なコンピュータ読取可能な媒体も含む。当該コンピューティングシステムはさらに、非一時的なコンピュータ読取可能な媒体上に格納されているプログラム命令を含み、プログラム命令は、物理空間の仮想表現内の少なくとも１つの仮想領域の指示を少なくとも１つのサブスクライバデバイスから受信するように１つ以上のプロセッサによって実行可能であり、少なくとも１つの仮想領域は物理空間内の少なくとも１つの物理領域に対応する。当該プログラム命令は、少なくとも１つの仮想領域と関連付けられている少なくとも１つのトリガ条件を少なくとも１つのサブスクライバデバイスから受信するようにも実行可能であり、少なくとも１つのトリガ条件は少なくとも１つの物理領域内の少なくとも１つの特定の物理的変化に対応する。当該プログラム命令はさらに、物理空間内に位置決めされた複数のセンサからセンサデータを受信するように実行可能であり、センサデータの少なくとも一部は物理空間内の少なくとも１つの物理領域と関連付けられている。当該プログラム命令はさらに、センサデータに基づいて、少なくとも１つの物理領域内の少なくとも１つの特定の物理的変化に対応する少なくとも１つのトリガ条件を満たす少なくとも１つの物理領域内のイベントを検出するように実行可能である。当該プログラム命令はさらに、イベントを検出したことに応答して、少なくとも１つのトリガ条件が満たされたことを示す通知を少なくとも１つのサブスクライバデバイスに提供するように実行可能である。
【０００６】
さらに別の局面において、非一時的なコンピュータ読取可能な媒体が提供される。非一時的なコンピュータ読取可能な媒体は、１つ以上のプロセッサによって実行可能な命令を格納しており、命令はコンピューティングシステムに機能を実行させる。当該機能は、物理空間の仮想表現内の少なくとも１つの仮想領域の指示を、少なくとも１つのサブスクライバデバイスから受信することを含み、少なくとも１つの仮想領域は物理空間内の少なくとも１つの物理領域に対応する。当該機能は、少なくとも１つの仮想領域と関連付けられている少なくとも１つのトリガ条件を、少なくとも１つのサブスクライバデバイスから受信することも含み、少なくとも１つのトリガ条件は少なくとも１つの物理領域内の少なくとも１つの特定の物理的変化に対応する。当該機能はさらに、物理空間内に位置決めされた複数のセンサからセンサデータを受信することを含み、センサデータの少なくとも一部は物理空間内の少なくとも１つの物理領域と関連付けられている。当該機能はさらに、センサデータに基づいて、少なくとも１つの物理領域内の少なくとも１つの特定の物理的変化に対応する少なくとも１つのトリガ条件を満たす少なくとも１つの物理領域内のイベントを検出することを含む。当該機能はさらに、イベントを検出したことに応答して、少なくとも１つのトリガ条件が満たされたことを示す通知を少なくとも１つのサブスクライバデバイスに提供することを含む。
【０００７】
さらに別の局面において、システムが提供される。当該システムは、物理空間の仮想表現内の少なくとも１つの仮想領域の指示を、少なくとも１つのサブスクライバデバイスから受信するための手段を含み得、少なくとも１つの仮想領域は物理空間内の少なくとも１つの物理領域に対応する。当該システムは、少なくとも１つの仮想領域と関連付けられている少なくとも１つのトリガ条件を、少なくとも１つのサブスクライバデバイスから受信するための手段も含み得、少なくとも１つのトリガ条件は少なくとも１つの物理領域内の少なくとも１つの特定の物理的変化に対応する。当該システムはさらに、物理空間内に位置決めされた複数のセンサからセンサデータを受信するための手段を含み得、センサデータの少なくとも一部は物理空間内の少なくとも１つの物理領域と関連付けられている。当該システムはさらに、センサデータに基づいて、少なくとも１つの物理領域内の少なくとも１つの特定の物理的変化に対応する少なくとも１つのトリガ条件を満たす少なくとも１つの物理領域内のイベントを検出するための手段を含み得る。当該システムはさらに、イベントを検出したことに応答して、少なくとも１つのトリガ条件が満たされたことを示す通知を少なくとも１つのサブスクライバデバイスに提供するための手段を含み得る。
【０００８】
これらおよび他の局面、利点、および代替案は、添付の図面を適宜参照して以下の詳細な説明を読むことによって当業者に明らかになるであろう。
【図面の簡単な説明】
【０００９】
【図１】例示的な実現に係る、物理空間の物理領域内のイベントを検出するためのシステムの例示的な構成を示す図である。
【図２】例示的な実現に係る、物理空間の物理領域内のイベントを検出するための例示的なフローチャートの図である。
【図３Ａ】例示的な実現に係る、例示的な物理空間内の例示的な物理領域、および当該物理領域内のアクターの例示的な存在を示す図である。
【図３Ｂ】例示的な実現に係る、例示的な物理空間内の例示的な物理領域、および当該物理領域内のアクターの例示的な存在を示す図である。
【図４Ａ】例示的な実現に係る、例示的な動的領域を示す図である。
【図４Ｂ】例示的な実現に係る、例示的な動的領域を示す図である。
【図４Ｃ】例示的な実現に係る、例示的な動的領域を示す図である。
【図４Ｄ】例示的な実現に係る、例示的な動的領域を示す図である。
【図５Ａ】例示的な実現に係る、別の例示的な動的領域、および当該動的な物理領域内のアクターの例示的な存在を示す図である。
【図５Ｂ】例示的な実現に係る、別の例示的な動的領域、および当該動的な物理領域内のアクターの例示的な存在を示す図である。
【図５Ｃ】例示的な実現に係る、別の例示的な動的領域、および当該動的な物理領域内のアクターの例示的な存在を示す図である。
【発明を実施するための形態】
【００１０】
詳細な説明
例示的な方法およびシステムが本明細書に記載される。「例」、「例示的な」および「例証的な」という用語は本明細書において「例、場合、または例証となる」ことを意味するために用いられていることを理解すべきである。「例」である、「例示的」である、または「例証的」であると本明細書に記載されている任意の実現例または特徴は、他の実現例または特徴よりも好ましいまたは有利であると必ずしも解釈すべきではない。本明細書に記載される例示的な実現は限定的であることが意図されていない。本明細書に一般的に記載されており図面に示されているような本開示の局面は、多種多様な異なる構成で配置、置換、組合せ、分離、および設計可能であることが容易に理解されるであろう。それらのすべては本明細書において明示的に検討されている。
【００１１】
Ｉ．  概要
さまざまな実現例によると、本明細書に記載されるのは、物理空間の物理領域内でトリガ条件が満たされたことを検出するための方法およびシステムである。特に、開示されるシステムは、サブスクライバデバイス（たとえば家庭用電子機器）が、当該システムに対して、物理空間の指定領域内で特定の物理的変化が起こるとサブスクライバデバイスに通知するよう要求することを可能にし得る。本開示に従うと、サブスクライバデバイスは、物理空間内の物理領域に対応する仮想領域を指定する要求をシステムに送信することができる。この要求はさらに、仮想領域に関連したトリガ条件を、指定された物理領域内の特定の物理的変化に当該トリガ条件が対応するように指定し得る。たとえば、トリガ条件は、アクター（たとえばロボット）が指定された物理領域に入ることを含み得る。したがって、この要求は本質的に、開示されるシステムが提供するサービスをサブスクライバデバイスにサブスクライブさせ得る。
【００１２】
さらに、開示されるシステムは、物理空間内に位置決めされたさまざまなセンサと通信し得る。さまざまなセンサは、数ある種類のデータの中でも特に、物理空間内の物理エン
ティティに関するデータ、および物理空間内で起こるイベントに関するデータを提供し得る。システムはそのようなデータを受信し得、当該データを処理して、トリガ条件が満たされたことを示すデータ内のイベントを検出し得る。特に、これは、コンピューティングシステムが、物理領域と関連付けられているセンサデータの一部を求めることと、次いで、当該データを解釈して、特定の物理的変化が物理領域内で起こったと判断することとを含み得る。
【００１３】
特定の物理的変化が物理領域内で起こったとシステムが判断すると、システムはトリガ条件が満たされたことをサブスクライバデバイスに通知し得る。サブスクライバデバイスはそのような通知を受信すると、さまざまな行動のうちの１つを取り得る。たとえば、サブスクライバデバイスは、当該領域をテレビの周りの三次元の円筒領域と定義し、かつトリガ条件を人物がこの定義された領域に入ることと定義するテレビであってもよい。この場合、テレビは、トリガ条件が満たされた（したがって人物が領域に入った）ことを示す通知を開示されるシステムから受信し得、テレビはこの通知を受信したことに応答して電源が投入され得る。
【００１４】
このように、開示されるシステムは本質的に、サブスクライバデバイスのためのプログラミングビルディングブロックを提供する。より具体的には、サブスクライバデバイスは物理空間内のセンサに関する情報を全く有していない場合があり、および／または、物理空間内の対象の物理的変化を検出するためにそのようなセンサをどのように使用するかの判断能力を有していない場合がある。ゆえに、サブスクライバデバイスをそのような能力を含むようにプログラムするのではなく、開示されるシステムは、サブスクライバデバイスが領域を指定できるように、かつトリガ条件を指定できるようにすることによって、プログラミングの容易さを増大させる。
【００１５】
領域およびトリガ条件を指定する要求を開示されるシステムが受信すると、開示されるシステムは、物理空間内のセンサに関する情報を取得し、次いで物理空間の物理領域内の対象の物理的変化を検出するためにそのようなセンサをどのように使用するかを判断することによって、プログラミングビルディングブロックとして本質的に機能し得る。続いて、物理領域内の対象の物理的変化が起こると、およびしたがってトリガ条件が満たされると、サブスクライバデバイスは開示されるシステムによって通知され得る。したがって、この開示されるシステムは、サブスクライバデバイスが物理空間に関する対象の情報を得るために必要なプログラミングの程度を減少させ得る。さらに、この開示されるシステムは複数のサブスクライバデバイスと同時に通信可能であるため、開示されるシステムは上述のサービスを多くのサブスクライバデバイスに同時に提供することができる。
【００１６】
ＩＩ．  例示的なシステム
次に図面を参照して、図１は１つ以上のセンサ１０２を有する物理空間１００を含む例示的な構成を示す。物理空間は、人物、物体、および／または機械が位置し得る環境の一部を定義し得る。物理空間は二次元または三次元（３Ｄ）の形態を取り得、さまざまな目的に用いられ得る。たとえば、物理空間は、商品および／またはサービスの販売が個人（または企業）と消費者との間で行なわれる小売空間として用いられ得る。他の例として、数ある例の中でも特に、製造施設、物流施設、オフィス空間、ショッピングセンター、フェスティバル会場、および／または空港などの物理空間があり得る。また、図１には１つの物理空間１００が示されているが、例示的な実現は複数の物理空間のコンテキストで実行されてもよい。さらなる局面において、１つ以上のアクターが物理空間１００内に位置決めされ得る。特に、アクターは、物理空間１００内に位置するさまざまな物理エンティティのうちの１つを定義し得る。たとえば、アクターは、数ある可能性の中でも特に、人物、動物、機械、ロボットシステム、および／または物体を含み得る。
【００１７】
物理空間における例示的なセンサ１０２は、特に、力覚センサ、近接センサ、モーションセンサ（たとえば慣性計測装置（ＩＭＵ）、ジャイロスコープ、および／もしくは加速度計）、負荷センサ、位置センサ、熱画像センサ、顔認識センサ、深度センサ（たとえばＲＧＢ−Ｄ、レーザ、ストラクチャードライト、および／もしくは飛行時間カメラ）、ポイントクラウドセンサ、超音波領域センサ、赤外線センサ、全地球測位システム（ＧＰＳ）受信機、ソナー、光センサ、バイオセンサ、無線周波数識別（ＲＦＩＤ）システム、近距離通信（ＮＦＣ）チップ、ワイヤレスセンサ、コンパス、煙センサ、光センサ、無線センサ、マイクロフォン、スピーカ、レーダ、タッチセンサ（たとえば容量センサ）、カメラ（たとえばカラーカメラ、グレースケールカメラ、および／もしくは赤外線カメラ）、ならびに／または距離センサ（たとえば超音波および／もしくは赤外線）を含み得るが、これらに限定されない。
【００１８】
さらに、センサ１０２は、数ある可能な位置の中でも特に、物理空間１００内にまたは物理空間１００の近傍に位置決めされてもよい。さらに、例示的な実現では、携帯電話、ラップトップ、および／またはタブレットといった既存のデバイス内に組込まれたセンサも用いてもよい。これらのデバイスは、小売空間内の消費者および／または従業員といった物理空間１００内に位置する人々が所有していてもよい。さらに、またはあるいは、これらのデバイスは、たとえば家電機器の販売のために用いられる小売空間においてなどで陳列される品物であってもよい。
【００１９】
図１は、物理空間１００内に位置決めされたセンサ１０２からデータを受信し得るコンピューティングシステム１０４も図示している。特に、センサ１０２は通信リンク１１６を介してコンピューティングシステムにセンサデータを提供し得る。通信リンク１１６は、有線リンクならびに／または（たとえばさまざまな無線送信機および受信機を用いる）無線リンクを含み得る。有線リンクは、たとえば、ユニバーサルシリアルバス（ＵＳＢ）などのパラレルバスまたはシリアルバスを含み得る。無線リンクは、数ある可能性の中でも特に、たとえば、Ｂｌｕｅｔｏｏｔｈ（登録商標）、ＩＥＥＥ８０２．１１（ＩＥＥＥ８０２．１１はＩＥＥＥ８０２．１１−２００７、ＩＥＥＥ８０２．１１ｎ−２００９、もしくはその他のＩＥＥＥ８０２．１１修正を指し得る）、セルラー（ＧＳＭ（登録商標）、ＧＰＲＳ、ＣＤＭＡ、ＵＭＴＳ、ＥＶ−ＤＯ、ＷｉＭＡＸ、ＨＳＰＤＡ、もしくはＬＴＥなど）、またはＺｉｇｂｅｅ（登録商標）を含み得る。さらに、セルラー通信プロトコル（たとえばＣＤＭＡ、ＧＳＭ、もしくはＷｉＭＡＸ、および８０２．１１を用いる「ＷｉＦｉ」接続性のためのもの）を用いる「３Ｇ」または「４Ｇ」データ接続性といった、複数の有線および／または無線プロトコルが用いられてもよい。
【００２０】
他の例では、当該構成はアクセスポイントを含み得、当該アクセスポイントを介してセンサ１０２および／またはコンピューティングシステム１０４がクラウドサーバと通信し得る。アクセスポイントは、ワイヤレスアクセスポイント（ＷＡＰ）またはワイヤレスルータの形態といったさまざまな形態を取り得る。さらに、通信がＣＤＭＡまたはＧＳＭプロトコルといったセルラーエアインターフェースプロトコルを用いて行なわれる場合、アクセスポイントはセルラーネットワークを介してインターネット接続性を提供するセルラーネットワーク内の基地局であってもよい。他の例も可能である。
【００２１】
コンピューティングシステム１０４は、１つ以上のプロセッサ１０６、データ記憶装置１０８、プログラム命令１１０、および電源１１２を含むとして示されている。コンピューティングシステム１０４は本開示の範囲から逸脱することなく付加的なコンポーネントを含み得るおよび／または１つ以上のコンポーネントが除去され得るため、コンピューティングシステム１０４は例証のために示されているに過ぎないことに留意すべきである。さらに、コンピューティングシステム１０４のさまざまなコンポーネントは任意の態様で配置および接続され得ることに留意すべきである。
【００２２】
１つ以上のプロセッサ１０６からの各プロセッサは、汎用プロセッサまたは特殊用途プロセッサ（たとえばデジタル信号プロセッサ、特定用途向け集積回路等）であってもよい。プロセッサ１０６は、データ記憶装置１０８に記憶されて本明細書に記載されるコンピューティングシステム１０４の機能を提供するように実行可能なコンピュータ読取可能なプログラム命令１１０を実行するように構成され得る。たとえば、プログラム命令１１０は、センサ１０２から受信したセンサデータの処理を提供するように実行可能であり得る。
【００２３】
データ記憶装置１０８は、１つ以上のプロセッサ１０６によって読取可能またはアクセス可能な１つ以上のコンピュータ読取可能な記憶媒体を含み得るか、または当該記憶媒体の形態を取り得る。１つ以上のコンピュータ読取可能な記憶媒体は、光、磁気、有機、または他のメモリもしくはディスク記憶装置といった揮発性および／または不揮発性記憶コンポーネントを含み得、当該コンポーネントは全体がまたは一部が１つ以上のプロセッサ１０６と統合され得る。ある実施形態では、データ記憶装置１０８は単一の物理デバイス（たとえば１つの光、磁気、有機、または他のメモリもしくはディスク記憶装置）を用いて実現され得るが、他の実施形態では、データ記憶装置１０８は２つ以上の物理デバイスを用いて実現され得る。さらに、コンピュータ読取可能なプログラム命令１１０に加えて、データ記憶装置１０８は、数ある可能性の中でも特に、診断データなどの付加的なデータを含み得る。さらに、コンピューティングシステム１０４は、コンピューティングシステム１０４のさまざまなコンポーネントに電力を供給するように構成された１つ以上の電源１１２も含み得る。たとえば電池などの任意の種類の電源が用いられ得る。
【００２４】
図１は、物理空間１００内に位置決めされたサブスクライバデバイス１１４をさらに図示している。サブスクライバデバイス１１４は物理空間１００内に位置決めされるとして示されているが、サブスクライバデバイス１１４はたとえば物理空間１００の外部といった別の位置に位置決めされてもよい。いずれの場合も、サブスクライバデバイス１１４は、コンピューティングシステム１０４が提供するサービスを（直接的にまたは間接的に）サブスクライブ可能な任意のデバイスであり得る。コンピューティングシステム１０４が提供するサービスをサブスクライブするために、サブスクライバデバイス１１４は、たとえばリンク１１６の形態を取るリンクを介してなどして、通信リンクを介してコンピューティングシステム１０４と通信し得る。サブスクライバデバイス１１４がコンピューティングシステム１０４と通信するために用いるこのリンクは、センサ１０２がコンピューティングシステム１０４と通信するために用いるリンク１１６と同一でもよいし、異なっていてもよい。さらに、いくつかの場合、サブスクライバデバイス１１４は物理空間１００内のセンサ１０２の少なくともいくつかを含み得る。
【００２５】
サブスクライバデバイス１１４はさまざまな形態のうちの１つを取り得る。たとえば、サブスクライバデバイス１１４は、特に、電気デバイス、電子デバイス、電気機械デバイス、またはコンピューティングデバイスであってもよい。例として、サブスクライバデバイス１１４は、テレビ、スピーカ、プロジェクタ、ロボットシステム、セルラー電話、ラップトップ、タブレット、デスクトップコンピュータ、ウェアラブルコンピューティングデバイス、医療デバイス、スキャナ、プリンタ、ページャ、カメラ、計算機、オーブン、冷蔵庫、電子レンジ、扇風機、または洗濯機のうちのいずれか１つであってもよい。さまざまな他の例も可能である。
【００２６】
上述のように、サブスクライバデバイス１１４はある場合ではコンピューティングデバイスの形態を取り得るか、または別個のコンピューティングデバイス（図示せず）に通信可能にリンクされ得る。いずれの場合も、このコンピューティングデバイスは、数あるコンポーネントの中でも特に、ディスプレイおよび入力方法エディタ（ＩＭＥ）を含み得る
。そのような他のコンポーネントは、特に、プロセッサ、データ記憶装置、プログラム命令、および／または電源を含み得る（たとえばそのすべて（または一部）がコンピューティングシステム１０４のコンポーネントと同一または同様の形態を取り得る）。例として、上述のように、このコンピューティングシステムは、数ある可能性の中でも特に、デスクトップコンピュータ、ラップトップ、タブレット、ウェアラブルコンピューティングデバイス、および／または携帯電話の形態を取り得る。
【００２７】
コンピューティングデバイスのディスプレイは任意の形態を取り得、コンピューティングデバイスのユーザに画像および／またはグラフィックスを投影するように配置され得る。例示的な配置では、コンピューティングデバイス内のプロジェクタが、ディスプレイの表面上に画像および／またはグラフィックスのさまざまなプロジェクションを投影するように構成され得る。ディスプレイは、エレクトロルミネッセントディスプレイもしくは液晶ディスプレイといった不透明なまたは透明な（または半透明な）マトリクスディスプレイ、ユーザの目に画像を映し出すための１つ以上の導波管、またはユーザに画像を映し出すことが可能な他の光学素子を含み得る。そのようなマトリックスディスプレイを駆動するために、対応するディスプレイドライバがコンピューティングデバイス内に配置され得る。ディスプレイのための他の配置も可能であり得る。したがって、ディスプレイは、アプリケーションを提供し得るグラフィカルユーザインターフェース（ＧＵＩ）を示し得、ユーザはこれを介して本明細書に開示されるシステムと対話し得る。
【００２８】
さらに、コンピューティングデバイスはＩＭＥを介して（たとえばコンピューティングデバイスのユーザから）ユーザ入力を受信し得る。特に、ＩＭＥは、数ある可能な対話の中でも特に、スクロールのため、テキストを提供するため、および／またはアプリケーションのさまざまな特徴を選択するためなどでＧＵＩとの対話を可能にし得る。ＩＭＥはさまざまな形態を取り得る。一例では、ＩＭＥはＧＵＩを制御するために用いられるコンピューティングマウスなどのポインティングデバイスであってもよい。しかし、ディスプレイがタッチスクリーンディスプレイである場合は、ＧＵＩの制御を可能にするタッチ入力が（たとえば指またはスタイラスを用いるなどして）受信されてもよい。別の例では、ＩＭＥは、ＧＵＩを介して表示すべき数字、文字および／または記号の選択を提供するキーボードなどのテキストＩＭＥであってもよい。たとえば、ディスプレイがタッチスクリーンディスプレイである構成では、ディスプレイの一部がＩＭＥを示してもよい。ゆえに、ＩＭＥを含むディスプレイの一部上のタッチ入力によって、ディスプレイを介してＧＵＩ上に示すべき特定的な数字、文字、および／または記号の選択といったユーザ入力がもたらされ得る。さらに別の例では、ＩＭＥは、コンピューティングデバイスのマイクロフォンを介してユーザからなどのオーディオ入力を受信する音声ＩＭＥであってもよく、当該オーディオ入力は次いでさまざまな音声認識技術のうちの１つを用いて１つ以上の文字に解釈可能であり、当該文字がディスプレイを介して示され得る。他の例も可能であり得る。
【００２９】
ＩＩＩ．  例示的な方法
図２は、例示的な実現に係る方法２００を示すフローチャートである。特に、方法２００は、トリガ条件を満たすイベントを物理領域内で検出するように実現され得る。
【００３０】
図２に示す方法２００（ならびに本明細書に開示される他のプロセスおよび方法）は、たとえば図１に関連して上述したコンピューティングシステム１０４および／またはサブスクライバデバイス１１４を含む構成内で（またはより特定的には、プロセッサと、本明細書に記載される機能を当該デバイスに実行させるように実行可能な命令を有する非一時的なコンピュータ読取可能な媒体とによってなど、１つ以上のコンポーネントまたはそのサブシステムによって）実現され得る方法を提示する。さらに、またはあるいは、方法２００はその他の構成およびシステム内で実現されてもよい。
【００３１】
方法２００ならびに本明細書に開示される他のプロセスおよび方法は、ブロック２０２〜２１０の１つ以上によって示されるような１つ以上の動作、機能、または行動を含み得る。当該ブロックは順番に示されているが、これらのブロックは並行して、および／または本明細書に記載される順序とは異なる順序で行なわれてもよい。また、当該さまざまなブロックは、所望の実現例に基づいてより少ないブロックに組合せられてもよく、さらなるブロックに分割されてもよく、および／または除去されてもよい。
【００３２】
さらに、方法２００ならびに本明細書に開示される他のプロセスおよび方法について、当該フローチャートは現在の実現例のうちの１つの可能な実現例の機能および動作を示す。この点に関して、各ブロックはモジュール、セグメント、またはプログラムコードの一部を表わし得、これは、プロセス内の特定的な論理機能またはステップを実現するためにプロセッサによって実行可能な１つ以上の命令を含む。プログラムコードは、たとえば、ディスクまたはハードドライブを含む記憶装置といった、任意の種類のコンピュータ読取可能な媒体上に記憶され得る。コンピュータ読取可能な媒体は、たとえば、レジスタメモリ、プロセッサキャッシュおよびランダムアクセスメモリ（ＲＡＭ）などのデータを短期間記憶するコンピュータ読取可能な媒体といった、非一時的なコンピュータ読取可能な媒体を含み得る。コンピュータ読取可能な媒体は、たとえば、読取専用メモリ（ＲＯＭ）、光または磁気ディスク、コンパクトディスク読取専用メモリ（ＣＤ−ＲＯＭ）などの二次的または永続的な長期記憶装置といった非一時的媒体も含み得る。また、コンピュータ読取可能な媒体はその他の揮発性または不揮発性記憶システムであってもよい。コンピュータ読取可能な媒体は、たとえばコンピュータ読取可能な記憶媒体、または有形記憶装置と見なされ得る。さらに、方法２００ならびに本明細書に開示される他のプロセスおよび方法について、図２の各ブロックは、プロセス内の特定的な論理機能を実行するように配線されている回路を表わし得る。
【００３３】
ブロック２０２において、方法２００は、物理空間（たとえば物理空間１００）の仮想表現内の少なくとも１つの仮想領域の指示を、少なくとも１つのサブスクライバデバイス（たとえばサブスクライバデバイス１１４）からコンピューティングシステム（たとえばコンピューティングシステム１０４）によって受信することを含み、少なくとも１つの仮想領域は物理空間内の少なくとも１つの物理領域に対応する。
【００３４】
例示的な実現では、サブスクライバデバイス１１４は、コンピューティングシステム１０４が提供するサービスをサブスクライブ可能なアプリケーションを含み得る。たとえば、サブスクライバデバイス１１４は、（たとえばエンジニアリング入力を介して、ダウンロードを介して、またはインストールを介して）当該アプリケーションがプログラムで装備されているスピーカであってもよい。あるいは、サブスクライバデバイス１１４は、このアプリケーションを含むタブレットなどの別のコンピューティングデバイスに通信可能にリンクされてもよい。この場合、コンピューティングデバイスは当該アプリケーションを用いて、コンピューティングシステム１０４が提供するサービスをサブスクライバデバイス１１４にサブスクライブさせてもよい。たとえば、以下にさらに述べるように、タブレットは、コンピューティングシステム１０４が提供するサービスを（たとえばタブレットにおいて提供されるユーザ入力に基づいて）スピーカにサブスクライブさせてもよく、サービスの結果に基づいてスピーカに行動を取らせてもよい。
【００３５】
いずれの場合も、アプリケーションは自動的にサービスをサブスクライブし得る。たとえば、アプリケーションは、このサブスクリプションの要求をプログラムで開始する特定のデバイス状態にサブスクライバデバイス１１４が直面するとサブスクライブし得る。あるいは、アプリケーションは、ユーザによって提供されるユーザ入力に応答してサービスをサブスクライブし得る。さらに、アプリケーションは、コンピューティングシステム１
０４に特定の要求を送信することによってサービスをサブスクライブし得、当該要求は、特に、サブスクライバデバイス１１４の識別（ＩＤ）、サブスクライバデバイス１１４の能力、サブスクライバデバイス１１４のモデル、要求の時間、および／または要求されたサービスを受信するための期間を含み得る。
【００３６】
したがって、要求は、サービスに関連した具体的な詳細の指示を含み得る。特に、要求は、物理空間１００の仮想表現内の少なくとも１つの仮想領域の指示を含み得る。この仮想領域は物理空間１００内の物理領域に対応し得るため、サブスクライバデバイス１１４（または別個のコンピューティングデバイス）はサブスクライバデバイス１１４についての対象の物理領域を本質的に指定することができる。さらに、この仮想領域は、（数ある可能な属性の中でも特に）たとえば物理領域の相対的位置、サイズ、形状、および／または相対的方位に対応することによってなどして、物理領域に対応し得る。
【００３７】
したがって、要求は、仮想領域に関連したさまざまな特性を指定し得る。これらの特性は、（ｉ）少なくとも１つの仮想領域のサイズ、（ｉｉ）少なくとも１つの仮想領域の形状、（ｉｉｉ）物理空間の仮想表現内の少なくとも１つの仮想領域の相対的位置、および（ｉｖ）物理空間の仮想表現内の少なくとも１つの仮想領域の相対的方位を含み得るが、これらに限定されない。このように、仮想表現内の仮想領域は、物理空間１００内の物理領域の属性と一致する属性を有し得る。
【００３８】
さらに、この物理領域は物理空間１００の物理的なサブセクションであってもよい。たとえば、物理領域は、任意のサイズおよび形状を取り得る物理空間１００の二次元（２Ｄ）サブエリアであってもよい。物理空間１００が三次元（３Ｄ）空間である場合、２Ｄサブエリアも３Ｄ空間内の任意の相対的方位を取り得る。この場合、物理領域はゆえに、数ある可能な形状の中でも特に、正方形、矩形、円形、または三角形であってもよい。他の場合、この物理領域は、任意の相対的位置、サイズ、形状、および／または相対的方位を取り得る物理空間１００の３Ｄサブボリュームであってもよい。たとえば、物理領域は、数ある可能な形状の中でも特に、立方体、直方体、円柱、円錐、球、角錐、および／または三角柱であってもよい。さらに別の場合、物理領域は物理空間内の一次元の点であってもよい。他の場合も可能である。
【００３９】
図３Ａは、小売店の形態を取っている例示的な物理空間３００を示す。物理空間３００は、例示的なサブスクライバデバイス３０２といったさまざまなデバイスを含むとして示されている。さらに、図３Ａに示すように、例示的な物理領域３０４はサブスクライバデバイス３０２の近くにある立方体の形態を取り得る。さらに、物理空間３００は例示的なセンサ３０６Ａから３０６Ｂを含むとして示されている。特に、センサ３０６Ａは深度センサの形態を取り得、センサ３０６Ｂは熱センサの形態を取り得、センサ３０６Ｃは近接センサの形態を取り得る。物理空間３００は他の種類のセンサも含み得るため、これらのセンサは例証のために示されているに過ぎず限定的であることが意図されていないことに留意すべきである。
【００４０】
以下にさらに述べるように、サブスクライバデバイス３０２は、サブスクライバデバイス３０２の近くで起こるイベントに関連した情報を取得するために、この物理領域３０４に対応する仮想領域を定義し得る。例示的な実現では、仮想領域はさまざまな方法のうちの１つで（たとえば指示の一部として）定義され得る。例として、仮想表現は、（数ある可能な属性の中でも特に）たとえば物理空間１００のサイズ、形状、および／または方位に対応することによってなどして、物理空間１００の物理座標系に対応する仮想座標系であってもよい。この例では、指示は仮想座標系内の仮想座標を指定し得、当該仮想座標はゆえに仮想領域を定義し得る。この構成では、仮想領域は物理空間１００内の物理領域に対応し得る。たとえば、指定された仮想座標は、（数ある可能な属性の中でも特に）たと
えば物理領域の相対的位置、サイズ、形状、および／または相対的方位に対応することによってなどして、物理座標系内の物理座標に対応し得る。
【００４１】
別の例では、ユーザは、（たとえばデバイス１１４がコンピューティングデバイスである場合は）サブスクライバデバイス１１４との対話によって、またはコンピューティングシステム１０４が提供するサービスをデバイス１１４にサブスクライブさせることができる別個のコンピューティングデバイスとの対話によって、仮想領域を手動で定義することもできる。いずれの場合も、そのようなコンピューティングデバイスは、たとえば上述のアプリケーションを介するなどして、グラフィカルユーザインターフェース（ＧＵＩ）を示すように構成され得る。このＧＵＩは、物理空間１００の仮想表現内の仮想領域の選択を提供し得る。ある場合では、ＧＵＩは物理空間の（二次元（２Ｄ）または三次元（３Ｄ））マップを示し得る。別の場合では、ＧＵＩは物理的な位置のビデオフィードを示し得る。さらに別の場合では、ＧＵＩは物理空間の画像を示し得る。さらに別の場合では、ＧＵＩは、ビデオフィードから外挿されたレイアウトまたは物理空間の画像といった、物理空間のレイアウトを示し得る。他の場合も可能である。
【００４２】
このような構成内では、仮想表現内に示される定義済の領域（たとえば小売空間内の通路）の選択に対応するユーザ入力が受信され得る。しかし、ＧＵＩはユーザが選択のための１つ以上の領域を定義することも可能にし得るため、構成は定義済の領域に限定されない。たとえば、ＧＵＩは物理空間の仮想表現を示し得、続いて、当該物理空間の仮想表現内のカスタム領域を定義するユーザ入力が受信され得る。カスタム領域を定義することは２Ｄまたは３Ｄ形状（たとえば正方形または立方体等）の選択を含み得、これに続いて、仮想表現内の形状の位置ならびに形状のサイズおよび形状の方位を求めるためのユーザ入力ジェスチャーが行なわれることによって、形状を用いて選択領域が定義される。これらのユーザ入力ジェスチャーは、マップ上の所望の位置におけるポインティングデバイスの使用（またはタッチスクリーンディスプレイ上の接触の使用）を含み得る。あるいは、形状を選択する代わりに、ユーザ入力は、選択領域を定義するためにマップ上のカスタム形状（たとえば囲まれたエリアまたはボリューム）の描画を含んでいてもよい。いずれの構成においても、結果として得られる選択領域は物理空間１００の２Ｄセクションであってもよく、または物理空間１００の３Ｄセクションであってもよい。
【００４３】
さらに別の例では、サブスクライバデバイス１１４は、コンピューティングシステム１０４への要求の一部として仮想領域を定義しない場合がある。代わりに、コンピューティングシステム１０４は、サブスクライバデバイス１１４の特性に基づいて、および／または要求の特性に基づいて仮想領域を定義し得る。たとえば、上述のように、要求は、サブスクライバデバイス１１４のＩＤ、サブスクライバデバイス１１４の能力、および／またはサブスクライバデバイス１１４のモデルといった特定的なデバイス属性を含み得る。以下にさらに述べるように、要求は、仮想領域に対応する物理領域内の特定の物理的変化を定義するトリガ条件も指定し得る。したがって、コンピューティングシステム１０４は、特定的なデバイス属性および／または指定されたトリガ条件に基づいて仮想領域を定義し得る。そのようにするために、コンピューティングシステム１０４は、さまざまな仮想領域をさまざまなデバイス属性および／またはさまざまなトリガ条件にマップする記憶されたマッピングデータを参照し得、次いでこのマッピングに基づいて仮想領域を選択し得る。
【００４４】
例として、サブスクライバデバイス１１４はテレビであってもよく、トリガ条件は物理領域内のアクター（たとえば人物またはロボット）の存在を含んでいてもよい。コンピューティングシステム１０４はこの情報を含む要求を受信し得、次いでテレビのための仮想領域を定義するためにマッピングデータを参照し得る。この例では、仮想領域は、物理領域内のアクターの存在を判定するために、テレビのサイズに対応するサイズ、および場合
によってはテレビを包含するサイズを有する円筒形状を取る物理領域に対応し得る。他の例も可能である。
【００４５】
さらなる局面において、上述の要求は、仮想領域が静的な仮想領域であるか動的な仮想領域であるかの選択を指定し得る。静的な仮想領域は、仮想表現の座標系に対して経時変化しない座標を有する領域を定義し得る。したがって、静的な仮想領域は、物理空間１００の座標系に対して経時変化しない座標を有する静的な物理領域に対応し得る。これに対して、動的な仮想領域は、仮想表現の座標系に対して経時変化する座標を有する領域を定義し得る。したがって、動的な仮想領域は、物理空間１００の座標系に対して経時変化する座標を有する動的な物理領域に対応し得る。
【００４６】
例示的な実現では、動的な物理空間は、物理空間１００の少なくとも第１の点から物理空間１００の少なくとも第２の点までのアクターの移動と関連付けられ得る。ある場合では、動的な仮想領域は単に任意の形状を取り得、アクターの移動に基づいて仮想表現に対して移動し得る。別の場合では、アクターのサイズ、形状、および／または方位（および他の属性）は動的な物理領域を実質的に定義し得る。したがって、動的な仮想領域のサイズ、形状、および／または方位は、アクターが物理空間１００全体にわたって移動するにつれてアクターの対応するサイズ、形状、および／または方位に適合し得る。たとえば、動的な物理領域は、１つのアクターが第１の点にいる間は第１の形状を有し得、アクターが第２の点にいる間は第２の形状を有し得る。したがって、動的な仮想領域は、アクターが第１および第２の点にいる間は第１および第２の形状をそれぞれ取り得る。このように、第１および第２の形状は、アクターが第１および第２の点にいる間はアクターの形状にそれぞれ対応し得る。他の場合も可能である。
【００４７】
さらに、コンピューティングシステム１０４は、動的な仮想領域を生成するためのさまざまな技術のうちの１つを用い得る。以下に詳細にさらに述べるように、コンピューティングシステム１０４は物理空間１００内に位置決めされたセンサからセンサデータを受信し得る。コンピューティングシステム１０４は次いで当該センサデータを用いて動的な仮想領域を経時的に生成し得る。たとえば、コンピューティングシステム１０４は、物理空間１００内に位置決めされたカメラから画像データを受信し得る。コンピューティングシステム１０４は次いでさまざまな画像処理技術を用いてアクターの２Ｄ輪郭または３Ｄ輪郭を（たとえば連続的にまたは随時）求め得、これは次いで動的な仮想領域を定義する根拠として用いられ得る。さまざまな他の技術も可能である。
【００４８】
図４Ａから図４Ｄは、アクターの位置、形状、および方位を取る動的領域の例を示す。図４Ａに示すように、例示的なアクター４００は、物理空間３００内の第１の点／位置に位置決めされたヒューマノイドロボットの形態を取り得る。次に図４Ｂは、アクター４００の相対的位置、形状、および相対的方位（および他の属性）を取る例示的な動的領域４０２を示す。しかし、この領域４０２は、（以下にさらに述べるように）たとえばアクター４００の周りの物理的変化の検出を可能にするために、アクター４００のサイズよりも大きいサイズを有する。図４Ｃに示すように、例示的なアクター４００は物理空間３００内の第１の点／位置から第２の点／位置に移動している。また、アクター４００の形状はヒューマノイドロボットの腕の動きに起因して新たな形状に変化している。次に図４Ｄは、アクター４００の更新された相対的位置、更新された形状、および更新された相対的方位（および他の更新された属性）を取る例示的な動的領域４０２を示す。しかし、上述のように、この領域４０２は、たとえばアクター４００の更新された位置におけるアクター４００の周りの物理的変化の検出を可能にするために、アクター４００のサイズよりも大きいサイズを依然として有している。図４Ａから図４Ｄは例証のために示されているに過ぎず限定的であることが意図されていないことに留意すべきである。
【００４９】
図５Ａから図５Ｂは、相対的に単純な形状を取り、かつアクター４００の移動に基づいて移動する動的領域の例を示す。図５Ａに示すように、例示的なアクター４００は、物理空間３００内の第１の点／位置に位置決めされたヒューマノイドロボットの形態を取り得る。次に図５Ａは、アクター４００を取囲む３Ｄ矩形形状を取る例示的な動的領域５０２を示す。この領域５０２は、（以下にさらに述べるように）たとえばアクター４００の周りの物理的変化の検出を可能にするために、アクター４００のサイズよりも大きいサイズを有する。図５Ｂに示すように、例示的なアクター４００は物理空間３００内の第１の点／位置から第２の点／位置に移動している。次に図５Ｂは、アクター４００の更新された相対的位置に移動している例示的な動的領域５０２を示す。示されるように、この領域５０２は、たとえばアクター４００の更新された位置におけるアクター４００の周りの物理的変化の検出を可能にするために、アクター４００のサイズよりも大きいサイズを依然として有している。図５Ａから図５Ｂは例証のために示されているに過ぎず限定的であることが意図されていないことに留意すべきである。
【００５０】
再び図２を参照して、ブロック２０４において、方法２００は、少なくとも１つの仮想領域と関連付けられている少なくとも１つのトリガ条件を、少なくとも１つのサブスクライバデバイスからコンピューティングシステムによって受信することを含み、少なくとも１つのトリガ条件は少なくとも１つの物理領域内の少なくとも１つの特定の物理的変化に対応する。
【００５１】
例示的な実現では、上述の要求は、物理領域に対応する仮想領域と関連付けられているトリガ条件を指定し得る。このトリガ条件は特定の物理的変化に対応し得る。物理的変化は、物理空間内のセンサによって感知可能な物理領域内の任意の発生を定義し得る。したがって、サブスクライバデバイス１１４は、特定の物理的変化が物理領域内で起こると（以下にさらに述べるように）通知を受信するようにサブスクライブし得、この特定の物理的変化を指定するトリガ条件を定義することによってそのようにし得る。
【００５２】
例として、特定の物理的変化はアクターが物理領域に入ることを含み得る。これは具体的には、アクターが物理領域の何らかの部分（たとえばボリュームまたはエリア）に入ったという検出を含み得る。別の例では、特定の物理的変化はアクターが物理領域から出ることを含み得る。これは具体的には、アクターが物理領域の何らかの部分（たとえばボリュームまたはエリア）から出たという検出を含み得る。さらに別の例では、特定の物理的変化は少なくとも１つの物理領域内のアクターの存在を含み得る。これは具体的には、アクターが少なくとも閾値期間にわたって物理領域の何らかの部分（たとえばボリュームまたはエリア）に存在しているという検出を含み得る。さらに別の例では、特定の物理的変化は物理領域の占有を含み得る。これは具体的には、物理領域内の少なくとも閾値数のアクターの存在を含み得る。
【００５３】
さらに別の例では、特定の物理的変化は少なくとも１つの物理領域内の特定の音を含み得る。たとえば、この特定の音は成人の音であってもよい。これは具体的には、音の位置を判定するため、かつ問題の物理領域から音が来たというその後の判定のために、指向性マイクロフォンから受信したオーディオデータの使用を含み得る。この例の中では、特定の物理的変化は、少なくとも１つの物理領域内の特定の語句（たとえば「こんにちは」）を含む音を含み得る。ある語句がトリガ条件内に指定された特定の語句と一致すると判断するために、コンピューティングシステム１０４によってさまざまな音声認識技術が用いられ得る。他の例も可能である。
【００５４】
トリガ条件はさまざまな方法のうちの１つで指定され得る。たとえば、要求はトリガ条件に対応するコードを含み得る。この例では、コンピューティングシステム１０４はコードをさまざまな特定の物理的変化にマップする記憶されたマッピングデータを参照し得、
コンピューティングシステム１０４はゆえに、指定されたコードに対応する特定の物理的変化を判定することによってトリガ条件を解釈し得る。別の例では、要求は、特定の物理的変化（たとえば「アクターの入場」）を指定する１つ以上の文字（たとえばユーザ入力を介して受信する）を含み得る。この例では、コンピューティングシステム１０４は要求を解釈するためにさまざまな自然言語処理（ＮＬＰ）技術を用い、こうして特定の物理的変化を判定し得る。他の例も可能である。
【００５５】
再び図２を参照して、ブロック２０６において、方法２００は、物理空間内に位置決めされた複数のセンサ（たとえばセンサ１０２）からセンサデータをコンピューティングシステムによって受信することを含み、センサデータの少なくとも一部は物理空間内の少なくとも１つの物理領域と関連付けられている。
【００５６】
例示的な実現では、コンピューティングシステム１０４は、数ある可能な形態の中でも特に、コンピュータ読取可能なデータパケットの形態のセンサデータを受信してもよい。さらに、コンピューティングシステム１０４は各センサからデータを別個に受信してもよく、または（たとえば同一のデータパケット内などの）２つ以上のセンサからのデータを同時に受信してもよい。さらに、センサデータは連続して（たとえばリアルタイムで）受信されてもよく、または随時（たとえば周期的に）受信されてもよい。さらに、センサデータは匿名化されたデータストリームの形態で受信されてもよい。すなわち、物理空間１００内に位置する１つ以上のエンティティ（たとえば個人）に関連した情報を表わすセンサデータは、１つ以上のエンティティのそれぞれの個々のアイデンティティに関連した情報を全く提供し得ないため、物理空間１００内に位置する個人のプライバシーが維持される。
【００５７】
センサデータを受信すると、センサデータの一部またはすべてがデータ記憶装置１０８に記憶されて、および／または（たとえばプロセッサ１０６）を用いて処理されて、本明細書に記載の機能が提供され得る。さらに、コンピューティングシステム１０４は受信したセンサデータに関連した時間を記憶し得る。たとえば、コンピューティングシステム１０４は、特に、センサデータがセンサによって得られる時間、センサデータ（たとえばデータパケット）がコンピューティングシステム１０４に送信される時間、および／またはセンサデータ（たとえばデータパケット）がコンピューティングシステム１０４によって受信される時間を確立するためのさまざまなタイムスタンプ技術を用い得る。この時間は、数ある可能性の中でも特に、日付、曜日、および／または時刻を含み得る。
【００５８】
さらに、コンピューティングシステム１０４はさらに、またはあるいは、センサデータに関連した位置を記憶してもよい。たとえば、コンピューティングシステム１０４は、受信したデータパケット上に位置情報を符号化してもよい（たとえば、センサ識別情報を受信し、識別したセンサの対応する記憶位置を判定する）。あるいは、受信したデータパケットは、その上に位置情報が既に符号化されていてもよい。いずれの場合も、位置情報は、数ある可能性の中でも特に、物理空間１００内の座標、アドレス、および／または名前を表わす文字のリスト（たとえば小売空間内の売り場の名前）の形態であってもよい。
【００５９】
さらに、この位置情報は特定のセンサ（または１組のセンサ）の物理空間１００内の位置を表わしてもよい。しかし、いくつかの場合、受信したセンサデータは、このセンサデータを得るセンサの位置と必ずしも同一でない物理空間１００内の位置に関連した情報を提供してもよい。ゆえに、位置情報はさらに、またはあるいは、受信したセンサデータが関連付けられている物理空間１００内の位置を表わしてもよい。一例として、センサデータは、物理空間内に位置するカメラから受信した画像データを含んでいてもよい。この例では、位置情報は物理空間内のカメラの位置を含んでいてもよく、および／またはカメラによって提供された画像データと関連付けられている位置を含んでいてもよい。他の例も
可能であり得る。
【００６０】
再び図２を参照して、ブロック２０８において、方法２００は、センサデータに基づいて、コンピューティングシステムが、少なくとも１つの物理領域内の少なくとも１つの特定の物理的変化に対応する少なくとも１つのトリガ条件を満たす少なくとも１つの物理領域内のイベントを検出することを含む。
【００６１】
例示的な実現では、コンピューティングシステム１０４は受信したセンサデータを用いて、トリガ条件を満たした物理領域内のイベントを検出し得る。このイベントは、１つ以上のセンサによって検出された物理領域内の物理的変化を定義し得る。したがって、イベントを検出することは、受信したセンサデータの少なくとも一部がイベントを表わすデータを含んでいるという判断を含み得る。イベントがトリガ条件を満たしていると判断するために、コンピューティングシステム１０４は、イベントを表わすデータを含む受信したセンサデータの一部が、トリガ条件を定義するデータと一致する（または少なくとも実質的に一致する）と判断し得る。
【００６２】
特に、コンピューティングシステム１０４が仮想領域の指示およびトリガ条件を受信すると、コンピューティングシステム１０４は、トリガ条件を満たす物理領域内のイベントを検出するための少なくとも１つのアプローチ（センサ解釈規則とも称され得る）を決定し得る。アプローチが決定されると、コンピューティングシステム１０４は次いで当該アプローチに基づいてイベントを検出し得る。２つ以上のアプローチが決定される状況では、コンピューティングシステム１０４は決定されたアプローチのいずれか１つを用いてイベントを検出し得る。いずれの場合も、そのようなアプローチはさまざまな方法のうちの１つで決定され得る。
【００６３】
例示的な構成では、コンピューティングシステム１０４は、物理空間１００内に位置決めされた複数のセンサ１０２の１つ以上の特性に基づいてアプローチを決定し得る。より具体的には、コンピューティングシステム１０４は、特定の物理空間内に位置決めされたセンサに関連した情報をその上に（たとえばデータ記憶装置１０８内に）記憶し得るか、またはその他の方法で当該情報を参照し得る。この情報はさまざまなセンサの特性を含み得、これらの特性はアプローチを決定する際に考慮され得る。
【００６４】
ある場合では、センサ特性は、たとえばセンサが位置センサであるか熱センサであるかといったセンサタイプを含み得る。別の場合では、センサ特性は、たとえば会社名および／または商品名といったセンサ製造業者および／またはモデルを含み得る。さらに別の場合では、センサ特性は、たとえば上述の位置情報に基づくといったセンサ位置を含み得る。さらに別の場合では、センサ特性は、たとえば物理空間１００内のセンサの相対的方位といったセンサ方位を含み得る。さらに別の場合では、センサ特性は物理領域とのセンサ関連付けを含み得る。たとえば、コンピューティングシステム１０４は、センサと関連付けられている位置情報が物理領域の座標に対応すると判断し得る。さらに別の場合では、センサ特性はサブスクライバデバイス１１４とのセンサ関連付けを含み得る。たとえば、コンピューティングシステム１０４は、センサがサブスクライバデバイス１１４の一部であると判断し得る。他の場合も可能である。
【００６５】
したがって、一局面において、アプローチを決定することは、イベントを検出する際に用いるべき１つ以上の特定のセンサを（たとえば物理空間１００内の複数のセンサ１０２の中から）選択することを含み得る。１つ以上の特定のセンサを選択することは、イベントを検出するのに最も好適な特性を有する１つ以上のセンサを選択することを含み得る。たとえば、トリガ条件がアクターが領域に入ったことを検出することを含む場合、コンピューティングシステム１０４は、最も好適なセンサは、物理領域と関連付けられている画
像キャプチャデバイスと、物理領域と関連付けられている近接センサとの組合せを含むであろうと判断し得る。
【００６６】
したがって、１つ以上の特定のセンサを選択することは、コンピューティングシステム１０４が少なくとも（ｉ）第１のセンサデータを生成するように構成された第１のセンサおよび（ｉｉ）第２のセンサデータを生成するように構成された第２のセンサを選択することを含み得る。コンピューティングシステム１０４は次いで、イベントを検出するために少なくとも第１および第２のセンサデータを用いる決定を下し得る。この決定がなされると、コンピューティングシステム１０４は、少なくとも第１および第２のセンサデータの評価に基づいて物理領域内の特定の物理的変化を検出し得る。この第１および第２のセンサデータがトリガ条件を定義するデータと一致する（または少なくとも実質的に一致する）場合は、コンピューティングシステム１０４はイベントが検出されたと判断し得る。
【００６７】
別の局面において、アプローチを決定することは、物理空間内の物理領域と関連付けられているセンサデータの一部を求めることを含み得る。そのようにするために、たとえば、コンピューティングシステム１０４は、データパケットについての上述の位置情報が物理領域の座標に対応していると判断し得、それに応答してデータパケット（たとえばその上の符号化）を物理領域と関連付けられていると表示し得る。別の例では、コンピューティングシステム１０４は、センサデータのどの部分が物理領域に対応するかを直接判断し得る。たとえば、コンピューティングシステム１０４は複数の深度点を深度センサから受信し得、次いで深度点の座標を用いてどの深度点が物理領域に対応するかを判断し得る。これらの構成では、コンピューティングシステム１０４は、物理領域と関連付けられていると表示されているデータパケットの評価に基づくなど、物理領域と関連付けられているセンサデータの一部の評価に基づいて物理領域内の特定の物理的変化を検出することによってイベントを検出し得る。
【００６８】
さらに別の局面において、アプローチを決定することは、トリガ条件を定義するデータを求めることを含み得る。特に、コンピューティングシステム１０４は、特定の物理的変化を表わすことになるセンサデータ内の情報（たとえば値）を、およびしたがってトリガ条件を求め得る。したがって、この情報は、イベントを検出するためにコンピューティングシステム１０４がセンサデータ内で探すべき情報に相当し得る。コンピューティングシステム１０４はさまざまな方法のうちの１つで当該情報を求めることができる。
【００６９】
ある場合では、この情報を求めることは上述の要求に含まれている内容に基づき得る。たとえば、要求は、トリガ条件を定義する（たとえば１つ以上の特定のセンサについての）値および／または閾値を指定し得、コンピューティングシステム１０４は次いで、センサデータを受信すると、指定閾値を超えるこれらの指定値をセンサデータが含むか否かを判断し得る。例として、要求は、物理領域内の温度が華氏１００度を超えるとコンピューティングシステム１０４がサブスクライバデバイス１１４に通知すべきであると指定するトリガ条件を含み得る。この例では、コンピューティングシステム１０４は次いで、センサデータを受信すると、華氏１００度を超える物理領域内の温度に対応するデータをセンサデータが含むか否かを判断し得る。
【００７０】
別の場合では、この情報は上述の要求内の内容に基づいて推論され得る。たとえば、要求は値および／または閾値を指定しない場合があり、代わりに、たとえば条件を指定するコードまたは言語によってなどで、別の方法でトリガ条件を指定する場合がある。コンピューティングシステム１０４は次いでマッピングデータまたは他の処理技術を用いて、トリガ条件に対応する値および／または閾値を求め得る。コンピューティングシステム１０４は次いで、センサデータを受信すると、これらの値および／または閾値を超える値をセンサデータが含むか否かを判断し得る。
【００７１】
例として、要求は、物理領域が「暑く」なるとコンピューティングシステム１０４がサブスクライバデバイス１１４に通知すべきであると指定するトリガ条件を含み得る。トリガ条件は、ユーザ入力を介して提供されるテキストなどのテキスト（たとえば「この領域が暑くなれば知らせて下さい」）によってこれを指定し得る。この例では、コンピューティングシステム１０４はＮＬＰ技術を用いて要求の意味を判断し得、次いで「暑い」領域が華氏１００度を超える物理領域内の温度を含み得ると（たとえばマッピングデータに基づいて）判断し得る。したがって、コンピューティングシステム１０４は、物理領域内の温度が華氏１００度を超えるとトリガ条件が満たされると判断し得る。したがって、コンピューティングシステム１０４は次いで、センサデータを受信すると、華氏１００度を超える物理領域内の温度に対応するデータをセンサデータが含むか否かを判断し得る。
【００７２】
さらに別の局面において、アプローチを決定することは、イベントを検出するために用いられる各センサから受信したデータについて重みを求めることを含み得る。さらに、またはあるいは、アプローチを決定することは、イベントを検出するために用いられるセンサデータの各部分について重みを求めることを含んでいてもよい。たとえば、コンピューティングシステム１０４は、温度センサおよび位置センサを用いてイベントを検出すべきであると判断し得る。この例では、コンピューティングシステム１０４は、温度センサから受信したセンサデータについての第１の重み、および位置センサから受信したセンサデータについての第２の重みを求め得る。コンピューティングシステム１０４は次いで、たとえば重み付け平均を求めることによってなどで、それぞれのセンサデータにそれぞれの重みを適用し得る。ゆえに、コンピューティングシステム１０４は、異なるセンサデータに異なる重みを適用することによって得られた値に基づいてイベントを検出し得る。たとえば、コンピューティングシステム１０４は、イベントを検出するために、重み付け平均を求め得、次いで重み付け平均の値が閾値を超えているか否かを判断し得る。他の局面（および上記の局面の組合せ）も可能である。
【００７３】
再び図２を参照して、ブロック２１０において、方法２００は、イベントを検出したことに応答して、少なくとも１つのトリガ条件が満たされたことを示す通知を、コンピューティングシステムによって少なくとも１つのサブスクライバデバイスに提供することを含む。
【００７４】
例示的な実現では、コンピューティングシステム１０４は、イベントが検出されたこと、およびしたがってトリガ条件が満たされたことをサブスクライバデバイス１１４に通知し得る。コンピューティングシステム１０４は、それを示す通知をサブスクライバデバイス１１４に送信することによってそのようにし得る。たとえば、通知は、トリガ条件が満たされたことを示す２進値（たとえば１）、コード、および／またはテキストを含み得る。いくつかの場合、通知は、数ある可能性の中でも特に、トリガ条件が満たされた時間といった他の情報も含み得る。
【００７５】
サブスクライバデバイス１１４が通知を受信すると、サブスクライバデバイス１１４はさまざまな行動のうちの１つを取り得る。そのような例示的な行動を提示するために、領域と対話しているアクターを各々が示す図３Ｂから図５Ｃを参照する。たとえば、図３Ｂは物理領域３０４内に位置決めされたアクター３０８を示す。この例では、サブスクライバデバイス３０２は、トリガ条件を物理領域３０４内のアクターの存在であると指定し得る。このトリガ条件に基づいて、コンピューティングシステム１０４は（たとえばセンサ３０６Ａから３０６Ｃの１つ以上を用いて）物理領域３０４内のアクター３０８の存在を判定し得、次いでトリガ条件が満たされたことをサブスクライバデバイス３０２に通知し得る。この通知に応答して、サブスクライバデバイス３０２はさまざまな行動のうちの１つを取り得る。たとえば、サブスクライバデバイス３０２は、サブスクライバデバイス３
０２によって表示されているコンテンツを更新し得る。図３Ｂに示すように、これは、数ある可能性の中でも特に、現在の時刻を含むロック画面を表示するために、サブスクライバデバイス３０２がデバイス３０２のディスプレイの電源を投入することを含み得る。別の例では、サブスクライバデバイス３０２は通知を受信するたびに（およびしたがってアクターが領域３０４内に存在しているたびに）カウンタを増加させ得る。サブスクライバデバイス３０２はそのようにして、たとえば１日の間に領域内に存在するアクターの総数を求め得る。他の場合も可能である。
【００７６】
別の例では、図５Ｃは、動的領域４０２内に（およびしたがってアクター４００の近くに）位置決めされた（ロボットの形態を取っている）アクター５０４を示す。この例では、アクター４００（これもロボットの形態を取っている）はサブスクライバデバイスであってもよく、ゆえに、トリガ条件を動的領域４０２内の別のアクターの存在であると指定してもよい。このトリガ条件に基づいて、コンピューティングシステム４００は動的領域４０２内のアクター５０４の存在を判定し得る。コンピューティングシステム１０４が動的領域４０２内のアクター５０４の存在を判定すると、コンピューティングシステム１０４は次いでトリガ条件が満たされたことをアクター４００に通知し得る。この通知に応答して、アクター４００はさまざまな行動のうちの１つを取り得る。たとえば、ロボットの形態を取っているアクター４００は、アクター５０４との衝突のリスクを減らし、ゆえにロボットの周囲の安全性を高めるために、ロボットをシャットダウンさせるかまたはロボットの移動を停止させ得る。他の例も可能である。
【００７７】
ＩＶ．  付加的な特徴
さらなる局面において、上述の実現例は複数の領域のコンテキストで実行されてもよい。たとえば、要求は２つ以上の仮想領域を指定し得る。この場合、領域毎のトリガ条件は同一であってもよい。さらに、またはあるいは、領域毎のトリガ条件は異なっていてもよい。この構成では、コンピューティングシステム１０４は、さまざまな指定領域についてのすべてのトリガ条件が満たされるとサブスクライバデバイス１１４に通知し得る。別の場合では、コンピューティングシステム１０４は、少なくとも１つの領域についての少なくとも１つのトリガ条件が満たされるとサブスクライバデバイス１１４に通知し得る。いくつかの場合、要求はトリガ条件が満たされるべき順序を指定し得る。たとえば、要求は、領域Ａについてのトリガ条件Ａが満たされた後に領域Ｂについてのトリガ条件Ｂが満たされるべきであると指定し得る。ゆえに、コンピューティングシステム１０４がこの順序で起こるイベントを検出すると、コンピューティングシステム１０４はサブスクライバデバイス１１４に通知し得る。他の場合も可能である。
【００７８】
さらに別の局面において、上述の実現例は指定領域についての複数のトリガ条件のコンテキストで実行されてもよい。たとえば、要求は指定領域についての２つ以上のトリガ条件を指定し得る。この場合、当該領域についてのトリガ条件は互いに異なっていてもよい。この構成では、コンピューティングシステム１０４は、指定領域についてのすべてのトリガ条件が満たされるとサブスクライバデバイス１１４に通知し得る。別の場合では、コンピューティングシステム１０４は、指定領域についての少なくとも１つのトリガ条件が満たされるとサブスクライバデバイス１１４に通知し得る。いくつかの場合、要求は指定領域についてトリガ条件が満たされるべき順序を指定し得る。たとえば、要求は、領域Ａについてのトリガ条件Ａが満たされた後に領域Ａについてのトリガ条件Ｂが満たされるべきであると指定し得る。ゆえに、コンピューティングシステム１０４が指定領域内でこの順序で起こるイベントを検出すると、コンピューティングシステム１０４はサブスクライバデバイス１１４に通知し得る。他の場合も可能である。
【００７９】
さらに別の局面において、仮想領域はアクターの視線方向に基づいて定義されてもよい。特に、コンピューティングシステム１０４はセンサデータを用いてアクターの視線方向
を判定し得、次いでこの視線方向を用いて領域を定義し得る。たとえば、コンピューティングシステム１０４は、領域をたとえばアクターの視野の焦点と定義することによってなどで、アクターの視野に基づいて領域を定義し得る。この点に関して、この定義される領域は動的であり得、ゆえにアクターの変化する視線方向に基づいて更新され得る。他の局面も可能である。
【００８０】
Ｖ．  結論
本開示は、さまざまな局面の例証として意図されている本出願に記載の特定の実現例に関して限定されない。当業者に明らかになるように、その精神および範囲から逸脱することなく多くの変更および変形が可能である。本明細書に列挙されたものに加えて、本開示の範囲内の機能的に同等の方法および装置が上記の説明から当業者に明らかになるであろう。そのような変更および変形は添付の請求項の範囲内に収まることが意図されている。
【００８１】
上記の詳細な説明では、添付の図面を参照して開示されるシステム、装置、および方法のさまざまな特徴および機能を記載している。図面では、文脈上別段の定めがない限り、同様の記号は典型的に同様の構成要素を特定している。本明細書および図面に記載される例示的な実現は限定的であることが意図されていない。本明細書に提示される主題の精神および範囲から逸脱することなく他の実現例も利用可能であり、他の変更も可能である。本明細書に一般的に記載されており図面に示されているような本開示の局面は多種多様な異なる構成で配置、置換、組合せ、分離、および設計され得ることが容易に理解されるであろう。そのすべてが本明細書に明示的に予期されている。
【００８２】
図面に示される特定の構成は限定的であると見なすべきでない。他の実現例は、所与の図面に示されている各要素よりも多いまたは少ない要素を含み得ることを理解すべきである。さらに、示される要素のいくつかは組合せられてもよいし、省略されてもよい。さらに、例示的な実現は図面に記載されていない要素を含んでいてもよい。
【００８３】
さまざまな局面および実現例を本明細書に開示したが、他の局面および実現例が当業者に明らかになるであろう。本明細書に開示されるさまざまな局面および実現例は例証のためであり限定的であることを意図しておらず、真の範囲は以下の請求項によって示されている。
【００８４】
システムがエンティティに関する情報を収集する、またはその情報を利用する状況では、個人を特定できる情報が除去されるように、データは保存または使用される前に１つ以上の方法で処理されてもよい。たとえば、あるエンティティのアイデンティティが、当該エンティティについて個人を特定できる情報を求めることができないように処理されてもよく、または、あるエンティティの地理的位置が、エンティティの特定の位置を確認することができないように、位置情報が得られる場所で（都市、郵便番号、または州のレベルなどに）一般化されてもよい。
【図１】
2020098638.tif 000003
【図２】
2020098638.tif 000004
【図３Ａ】
2020098638.tif 000005
【図３Ｂ】
2020098638.tif 000006
【図４Ａ】
2020098638.tif 000007
【図４Ｂ】
2020098638.tif 000008
【図４Ｃ】
2020098638.tif 000009
【図４Ｄ】
2020098638.tif 000010
【図５Ａ】
2020098638.tif 000011
【図５Ｂ】
2020098638.tif 000012
【図５Ｃ】
2020098638.tif 000013
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
方法であって、
コンピューティングシステムがサブスクライバデバイスに提供するサービスの一部として、前記コンピューティングシステムが前記サブスクライバデバイスから、特定の物理的変化に対応するトリガ条件を示す要求を受信することを備え、前記要求は前記サービスを前記サブスクライバデバイスまたは異なるデバイスにサブスクライブさせ、前記サブスクライバデバイスは前記トリガ条件を定義し、前記方法はさらに、
前記コンピューティングシステムが、１つ以上のセンサからセンサデータを受信することと、
前記センサデータに基づいて前記サービスの一部として、前記コンピューティングシステムが、前記サブスクライバデバイスの代わりに、前記トリガ条件を満たすイベントを検出することと、
前記サブスクライバデバイスの代わりに前記イベントを検出したことに応答して、前記コンピューティングシステムが前記サブスクライバデバイスにまたは前記異なるデバイスに、前記トリガ条件が満たされたことを示す通知を提供することとを備える、方法。
【請求項２】
前記１つ以上のセンサは、物理空間内にあるか、前記サブスクライバデバイスの一部であるか、または前記異なるデバイスの一部である、請求項１に記載の方法。
【請求項３】
前記要求は、前記１つ以上のセンサとそれぞれ関連付けられている１つ以上の値を指定し、指定された前記１つ以上の値は前記トリガ条件を少なくとも部分的に定義する、請求項１または２に記載の方法。
【請求項４】
前記イベントを検出することは、前記センサデータが、指定された前記１つ以上の値のうちの少なくとも特定の値を表していると判断することを備える、請求項３に記載の方法。
【請求項５】
前記要求は、前記１つ以上のセンサとそれぞれ関連付けられている１つ以上の閾値を指定し、指定された前記１つ以上の閾値は前記トリガ条件を少なくとも部分的に定義する、請求項１〜３のいずれか１項に記載の方法。
【請求項６】
前記イベントを検出することは、前記センサデータが、指定された前記１つ以上の閾値のうちの少なくとも特定の閾値を超える特定の値を表していると判断することを備える、請求項５に記載の方法。
【請求項７】
前記イベントを検出することは、前記特定の物理的変化が起こったと判断することに対応する、請求項１〜６のいずれか１項に記載の方法。
【請求項８】
前記通知を提供することによって、前記サブスクライバデバイスまたは前記異なるデバイスは、満たされている前記トリガ条件と関連付けられている情報を表示する、請求項１〜７のいずれか１項に記載の方法。
【請求項９】
前記異なるデバイスに前記通知を提供することによって、前記異なるデバイスはシャットダウンするかまたは動きを停止する、請求項１〜８のいずれか１項に記載の方法。
【請求項１０】
前記異なるデバイスはロボット装置である、請求項１〜９のいずれか１項に記載の方法。
【請求項１１】
前記サブスクライバデバイスは、前記コンピューティングシステムへの前記要求の送信を可能にするプログラムコードを含む、請求項１〜１０のいずれか１項に記載の方法。
【請求項１２】
前記サブスクライバデバイスまたは前記異なるデバイスは、前記コンピューティングシステムからの、前記トリガ条件が満たされたことを示す前記通知の受信を可能にするプログラムコードを含む、請求項１〜１１のいずれか１項に記載の方法。
【請求項１３】
前記サブスクライバデバイスまたは前記異なるデバイスは、前記トリガ条件を満たす前記イベントを検出する根拠としての前記センサデータの使用を可能にするプログラムコードを含まない、請求項１〜１２のいずれか１項に記載の方法。
【請求項１４】
前記コンピューティングシステムは、前記サブスクライバデバイスが前記コンピューティングシステムに、（ｉ）前記サブスクライバデバイスの代わりに、前記１つ以上のセンサから前記センサデータを受信させ、（ｉｉ）前記サブスクライバデバイスの代わりに、前記トリガ条件を満たす前記イベントを検出させることを可能にするプログラミングビルディングブロックを提供する、請求項１〜１３のいずれか１項に記載の方法。
【請求項１５】
コンピューティングシステムであって、
１つ以上のプロセッサと、
非一時的なコンピュータ読取可能な媒体と、
前記非一時的なコンピュータ読取可能な媒体上に格納されており、前記１つ以上のプロセッサによって実行可能なプログラム命令とを備え、前記プログラム命令は、
前記コンピューティングシステムがサブスクライバデバイスに提供するサービスの一部として、前記サブスクライバデバイスから、特定の物理的変化に対応するトリガ条件を示す要求を受信するよう指示し、前記要求は前記サービスを前記サブスクライバデバイスまたは異なるデバイスにサブスクライブさせ、前記サブスクライバデバイスは前記トリガ条件を定義し、前記プログラム命令はさらに、
１つ以上のセンサからセンサデータを受信するよう、
前記センサデータに基づいて前記サービスの一部として、前記サブスクライバデバイスの代わりに、前記トリガ条件を満たすイベントを検出するよう、かつ
前記サブスクライバデバイスの代わりに前記イベントを検出したことに応答して、前記サブスクライバデバイスにまたは前記異なるデバイスに、前記トリガ条件が満たされたことを示す通知を提供するよう指示する、コンピューティングシステム。
【請求項１６】
前記要求は、前記１つ以上のセンサとそれぞれ関連付けられている１つ以上の値を指定し、指定された前記１つ以上の値は前記トリガ条件を少なくとも部分的に定義し、
前記イベントを検出することは、前記センサデータが、指定された前記１つ以上の値のうちの少なくとも特定の値を表していると判断することを備える、請求項１５に記載のコンピューティングシステム。
【請求項１７】
前記要求は、前記１つ以上のセンサとそれぞれ関連付けられている１つ以上の閾値を指定し、指定された前記１つ以上の閾値は前記トリガ条件を少なくとも部分的に定義し、
前記イベントを検出することは、前記センサデータが、指定された前記１つ以上の閾値のうちの少なくとも特定の閾値を超える特定の値を表していると判断することを備える、請求項１５に記載のコンピューティングシステム。
【請求項１８】
前記通知を提供することによって、前記サブスクライバデバイスまたは前記異なるデバイスは、満たされている前記トリガ条件と関連付けられている情報を表示する、請求項１５〜１７のいずれか１項に記載のコンピューティングシステム。
【請求項１９】
前記異なるデバイスに前記通知を提供することによって、前記異なるデバイスはシャットダウンするかまたは動きを停止する、請求項１５〜１８のいずれか１項に記載のコンピューティングシステム。
【請求項２０】
請求項１〜１４のいずれか１項に記載の方法をコンピュータに実行させるプログラム。
【外国語明細書】
2020098638000001.pdf